(57)【特許請求の範囲】
【請求項１】
情報処理装置にログインする際に携帯通信機器からデバイスＩＤを通知することにより携帯通信機器を認証キーに使用し、前記情報処理装置の個人の設定情報を個人アカウント情報として前記認証キーに使用した携帯通信機器に取り込んで保存する情報処理システムであって、
前記情報処理装置内の個人アカウント情報と前記携帯通信機器内の個人アカウント情報とを初期設定時にマージして共有の情報として保持し、
前記初期設定以降に、前記情報処理装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つこと、を特徴とする情報処理システム。
【請求項２】
前記情報処理装置は、前記携帯通信機器の使用者が使用する個人用装置であり、
前記携帯通信機器に保存した情報を、一人のユーザが使用する複数の端末装置または複数のユーザが使用する一つの端末装置に対して当該携帯通信機器を物理的に接続することで認証状態が維持される間、利用可能とし、前記携帯通信機器と前記端末装置との物理的接続が切断された時点で前記端末装置に一時的に設定した前記個人アカウント情報を削除することを特徴とする請求項１記載の情報処理システム。
【請求項３】
前記情報処理装置と前記携帯通信機器とを物理的に接続するために近接通信技術を用い、前記近接通信技術にて予め設定される接続状態の認識情報を前記認証キーに用いることを特徴とする請求項１または請求項２記載の情報処理システム。
【請求項４】
前記近接通信技術が近距離通信技術の場合に前記情報処理装置と前記携帯通信機器とのペアリングを利用し、
前記近接通信技術がＷＬＡＮ（Ｗｉｒｅｌｅｓｓ  Ｌｏｃａｌ  Ａｒｅａ  Ｎｅｔｗｏｒｋ）の場合に相手先に接続したことをブロードキャスト通知する仕組みとその接続を示す識別情報を情報処理装置側から前記携帯通信機器へ返信する仕組みとを用い、
前記近接通信技術が非接触ＩＣ（Ｉｎｔｅｇｒａｔｅｄ  Ｃｉｒｃｕｉｔ）カードの場合に前記非接触ＩＣカードの識別情報を用い、
前記近接通信技術がＵＳＢ（Ｕｎｉｖｅｒｓａｌ  Ｓｅｒｉａｌ  Ｂｕｓ）の場合にＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）を用いて前記接続状態を認識することを特徴とする請求項３記載の情報処理システム。
【請求項５】
前記携帯通信機器内の個人アカウント情報をマスタとし、前記差分情報のマージを前記携帯通信機器内の記憶領域で行い、その結果を前記情報処理装置に書込むことを特徴とする請求項１記載の情報処理システム。
【請求項６】
前記携帯通信機器を前記認証キーに使用した認証が成立した時点で前記端末装置に専用アプリケーションソフトウェアをダウンロードさせ、当該専用アプリケーションソフトウェアを用いて前記個人アカウント情報を前記携帯通信機器内部から取得することを特徴とする請求項２記載の情報処理システム。
【請求項７】
前記携帯通信機器と前記端末装置との通信の切断時に前記専用アプリケーションソフトウェアと前記専用アプリケーションソフトウェアを用いて取得した前記個人アカウント情報とを廃棄することを特徴とする請求項６記載の情報処理システム。
【請求項８】
自装置へのログイン時に携帯通信機器から通知されたデバイスＩＤにより携帯通信機器を認証キーとして認証を行う手段と、
自装置の個人の設定情報を個人アカウント情報として前記認証キーに使用した携帯通信機器に書込んで保存する手段とを有する情報処理装置であって、
自装置内の個人アカウント情報と前記携帯通信機器内の個人アカウント情報とを初期設定時にマージして共有の情報として保持し、
前記初期設定以降に、自装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つこと、を特徴とする情報処理装置。
【請求項９】
自装置と前記携帯通信機器とを物理的に接続するために近接通信技術を用い、前記近接通信技術にて予め設定される接続状態の認識情報を前記認証キーに用いることを特徴とする請求項８記載の情報処理装置。
【請求項１０】
前記近接通信技術が近距離通信技術の場合に前記情報処理装置と前記携帯通信機器とのペアリングを利用し、
前記近接通信技術がＷＬＡＮ（Ｗｉｒｅｌｅｓｓ  Ｌｏｃａｌ  Ａｒｅａ  Ｎｅｔｗｏｒｋ）の場合に相手先に接続したことをブロードキャスト通知する仕組みとその接続を示す識別情報を情報処理装置側から前記携帯通信機器へ返信する仕組みとを用い、
前記近接通信技術が非接触ＩＣ（Ｉｎｔｅｇｒａｔｅｄ  Ｃｉｒｃｕｉｔ）カードの場合に前記非接触ＩＣカードの識別情報を用い、
前記近接通信技術がＵＳＢ（Ｕｎｉｖｅｒｓａｌ  Ｓｅｒｉａｌ  Ｂｕｓ）の場合にＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）を用いて前記接続状態を認識することを特徴とする請求項９記載の情報処理装置。
【請求項１１】
前記携帯通信機器内の個人アカウント情報をマスタとし、前記差分情報のマージを前記携帯通信機器内の記憶領域で行い、その結果を自装置に書込むことを特徴とする請求項８記載の情報処理装置。
【請求項１２】
情報処理装置にログインする際に自器のデバイスＩＤを通知することにより自器を認証キーに使用し、前記情報処理装置の個人の設定情報を個人アカウント情報として前記認証キーに使用した自器に取り込んで保存する携帯通信機器であって、
前記情報処理装置内の個人アカウント情報と自器内の個人アカウント情報とを初期設定時にマージして共有の情報として保持し、
前記初期設定以降に、前記情報処理装置と自器とが認証状態になり、前記情報処理装置と前記携帯通信機器との接続が切断されるまで、前回の共有の情報の保持後に互いに更新された情報に基づいて差分情報をマージして同期状態を保つこと、を特徴とする携帯通信機器。
【請求項１３】
前記情報処理装置は、自器の使用者が使用する個人用装置であり、
自器に保存した情報を、一人のユーザが使用する複数の端末装置または複数のユーザが使用する一つの端末装置に対して当該携帯通信機器を物理的に接続することで認証状態が維持される間、利用可能とし、自器と前記端末装置との物理的接続が切断された時点で前記端末装置に一時的に設定した前記個人アカウント情報を削除することを特徴とする請求項１２記載の携帯通信機器。
【請求項１４】
前記情報処理装置と自器とを物理的に接続するために近接通信技術を用い、前記近接通信技術にて予め設定される接続状態の認識情報を前記認証キーに用いることを特徴とする請求項１２または請求項１３記載の携帯通信機器。
【請求項１５】
前記近接通信技術が近距離通信技術の場合に前記情報処理装置と自器とのペアリングを利用し、
前記近接通信技術がＷＬＡＮ（Ｗｉｒｅｌｅｓｓ  Ｌｏｃａｌ  Ａｒｅａ  Ｎｅｔｗｏｒｋ）の場合に相手先に接続したことをブロードキャスト通知する仕組みとその接続を示す識別情報を情報処理装置側から自器へ返信する仕組みとを用い、
前記近接通信技術が非接触ＩＣ（Ｉｎｔｅｇｒａｔｅｄ  Ｃｉｒｃｕｉｔ）カードの場合に前記非接触ＩＣカードの識別情報を用い、
前記近接通信技術がＵＳＢ（Ｕｎｉｖｅｒｓａｌ  Ｓｅｒｉａｌ  Ｂｕｓ）の場合にＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）を用いて前記接続状態を認識することを特徴とする請求項１４記載の携帯通信機器。
【請求項１６】
自器内の個人アカウント情報をマスタとし、前記差分情報のマージを自器内の記憶領域で行い、その結果を前記情報処理装置に書込むことを特徴とする請求項１２記載の携帯通信機器。
【請求項１７】
自器を前記認証キーに使用した認証が成立した時点で前記端末装置に専用アプリケーションソフトウェアをダウンロードさせ、当該専用アプリケーションソフトウェアを用いて前記個人アカウント情報を自器内部から取得させることを特徴とする請求項１３記載の携帯通信機器。
【請求項１８】
自器と前記端末装置との通信の切断時に前記専用アプリケーションソフトウェアと前記専用アプリケーションソフトウェアを用いて取得した前記個人アカウント情報とを廃棄させることを特徴とする請求項１７記載の携帯通信機器。
【請求項１９】
情報処理装置の個人の設定情報を個人アカウント情報として使用するシステムに用いる利用者情報管理方法であり、前記情報処理装置にログインする際に携帯通信機器からデバイスＩＤを通知することにより携帯通信機器を認証キーに使用し、前記個人アカウント情報を前記認証キーに使用した携帯通信機器に取り込んで保存する利用者情報管理方法であって、
前記情報処理装置内の個人アカウント情報と前記携帯通信機器内の個人アカウント情報とを初期設定時にマージして共有の情報として保持し、
前記初期設定以降に、前記情報処理装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つこと、を特徴とする利用者情報管理方法。
【請求項２０】
前記情報処理装置は、前記携帯通信機器の使用者が使用する個人用装置であり、
前記携帯通信機器に保存した情報を、一人のユーザが使用する複数の端末装置または複数のユーザが使用する一つの端末装置に対して当該携帯通信機器を物理的に接続することで認証状態が維持される間、利用可能とし、前記携帯通信機器と前記端末装置との物理的接続が切断された時点で前記端末装置に一時的に設定した前記個人アカウント情報を削除することを特徴とする請求項１９記載の利用者情報管理方法。
【請求項２１】
前記情報処理装置と前記携帯通信機器とを物理的に接続するために近接通信技術を用い、前記近接通信技術にて予め設定される接続状態の認識情報を前記認証キーに用いることを特徴とする請求項１９または請求項２０記載の利用者情報管理方法。
【請求項２２】
前記近接通信技術が近距離通信技術の場合に前記情報処理装置と前記携帯通信機器とのペアリングを利用し、
前記近接通信技術がＷＬＡＮ（Ｗｉｒｅｌｅｓｓ  Ｌｏｃａｌ  Ａｒｅａ  Ｎｅｔｗｏｒｋ）の場合に相手先に接続したことをブロードキャスト通知する仕組みとその接続を示す識別情報を情報処理装置側から前記携帯通信機器へ返信する仕組みとを用い、
前記近接通信技術が非接触ＩＣ（Ｉｎｔｅｇｒａｔｅｄ  Ｃｉｒｃｕｉｔ）カードの場合に前記非接触ＩＣカードの識別情報を用い、
前記近接通信技術がＵＳＢ（Ｕｎｉｖｅｒｓａｌ  Ｓｅｒｉａｌ  Ｂｕｓ）の場合にＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）を用いて前記接続状態を認識することを特徴とする請求項２１記載の利用者情報管理方法。
【請求項２３】
前記携帯通信機器内の個人アカウント情報をマスタとし、前記差分情報のマージを前記携帯通信機器内の記憶領域で行い、その結果を前記情報処理装置に書込むことを特徴とする請求項１９記載の利用者情報管理方法。
【請求項２４】
前記携帯通信機器を前記認証キーに使用した認証が成立した時点で前記端末装置に専用アプリケーションソフトウェアをダウンロードさせ、当該専用アプリケーションソフトウェアを用いて前記個人アカウント情報を前記携帯通信機器内部から取得することを特徴とする請求項２０記載の利用者情報管理方法。
【請求項２５】
前記携帯通信機器と前記端末装置との通信の切断時に前記専用アプリケーションソフトウェアと前記専用アプリケーションソフトウェアを用いて取得した前記個人アカウント情報とを廃棄することを特徴とする請求項２４記載の利用者情報管理方法。
【請求項２６】
自装置へのログイン時に携帯通信機器から通知されたデバイスＩＤにより携帯通信機器を認証キーとして認証を行う処理と、
自装置の個人の設定情報を個人アカウント情報として前記認証キーに使用した携帯通信機器に書込んで保存する処理とを情報処理装置に実行させるプログラムであって、さらに、
自装置内の個人アカウント情報と前記携帯通信機器内の個人アカウント情報とを初期設定時にマージして共有の情報として保持する処理と、
前記初期設定以降に、自装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つ処理とを実行させるプログラム。
【請求項２７】
情報処理装置にログインする際に自器からデバイスＩＤを通知することにより自器を認証キーに使用し、前記情報処理装置の個人の設定情報を個人アカウント情報として前記認証キーに使用した自器に取り込んで保存する処理を携帯通信機器に実行させるプログラムであって、
前記情報処理装置内の個人アカウント情報と自器内の個人アカウント情報とを初期設定時にマージして共有の情報として保持する処理と、
前記初期設定以降に、前記情報処理装置と自器とが認証状態になり、前記情報処理装置と前記携帯通信機器との接続が切断されるまで、前回の共有の情報の保持後に互いに更新された情報に基づいて差分情報をマージして同期状態を保つ処理とを実行させるプログラム。
【発明の詳細な説明】
【技術分野】
【０００１】
［関連出願の記載］
本発明は、日本国特許出願：特願２００８−１１１９３８号（２００８年４月２３日出願）の優先権主張に基づくものであり、同出願の全記載内容は引用をもって本書に組み込み記載されているものとする。
本発明は情報処理システム、情報処理装置、携帯通信機器及びそれらに用いる利用者情報管理方法に関し、特にＰＣ（Ｐｅｒｓｏｎａｌ  Ｃｏｍｐｕｔｅｒ：パーソナルコンピュータ）等においてアプリケーションソフト等に予め登録される利用者情報の管理方法に関する。
【背景技術】
【０００２】
ＰＣの使用者においては、自分が興味あるもの、目的のサイト、その検索方法等がほぼ同じ傾向にある。つまり、本来、このような情報は、全てアカウント情報として一元管理されることが望ましい。【０００３】
上記のような情報としては、例えば、ＩＥ［Ｉｎｔｅｒｎｅｔ  Ｅｘｐｌｏｒｅ（登録商標）］等のＷｅｂブラウザの履歴情報、ブックマーク（Ｂｏｏｋｍａｒｋ）［何度も訪れるＷｅｂサイトのアドレス（ＵＲＬ：Ｕｎｉｆｏｒｍ  Ｒｅｓｏｕｒｃｅ  Ｌｏｃａｔｏｒ）を記録しておく機能］、検索ワード、オートコンプリート（キーボードからの入力を保持する機能で、過去の入力履歴を基に次の入力内容を予想して表示すること）、クッキー（Ｃｏｏｋｉｅｓ）（Ｗｅｂサイトの提供者が、訪問者に関する情報等をその訪問者のコンピュータに一時的に書込んで保存させる仕組み）等がある。【０００４】
上記のような情報を一元管理する方法としては、一人のユーザが複数の端末装置を使用する際の共通情報、または複数のユーザが一つの端末装置を協働で使用する際の共通情報を、携帯端末に移送したり、あるいは携帯端末から移送する方法が提案されている（例えば、特許文献１参照）。この場合、端末装置では、携帯端末を接続した状態で起動すると、上記の共通情報を管理するアプリケーションソフトウェアが走行し、共通情報の移送が行われている。
【先行技術文献】
【特許文献】
【０００５】
【特許文献１】特開２００２−１１６９６６号公報
【発明の概要】
【発明が解決しようとする課題】
【０００６】
なお、上記特許文献１の全開示内容はその引用をもって本書に繰込み記載する。以下の分析は、本発明によって与えられたものである。
しかしながら、本発明に関連する情報処理システムでは、デバイスの違い、・ＯＳ（Ｏｐｅｒａｔｉｎｇ  Ｓｙｓｔｅｍ）の違い、ツール（Ｔｏｏｌ）の差分、デバイス毎の利用者情報（アカウント情報）の違い等のために、別々に持っている、携帯電話機、個人ＰＣ、ネットカフェの共用ＰＣというようなデバイス毎にそれぞれ別々にブラウジングや検索を行い、別々にアカウント情報を管理している。【０００７】
つまり、本来、一人の人間が求める情報、それに関する検索ワードは、人それぞれの癖があり、それらの情報が常に似通っている可能性がある。しかしながら、本発明に関連する情報処理システムでは、デバイスの違い／ＯＳの違い／ツールの差分／デバイス毎の利用者情報（アカウント情報）の違い、等の物理的障壁がある。そのため、携帯電話機、個人ＰＣ、ネットカフェの共用ＰＣには、デバイス毎に異なる設定を持ち、それぞれ別々にブラウジングや検索を行う必要がある。【０００８】
また、本発明に関連する情報処理システムでは、セキュリティ面で問題があり、安易に携帯電話機の情報とＰＣの情報とをまとめることができず、基本的に別のアカウント情報として管理しなくてはならない。【０００９】
尚、ネットカフェ等の不特定多数の人が利用するＰＣを利用する際には、セキュリティに問題がある上、物理的に自宅のデータ、設定を共用ＰＣにもってくる術がない。尚、上記の特許文献１に記載の技術では、携帯電話機やＰＣにおける共通情報としてのブックマークやクッキーを管理することはできるが、例えば携帯電話機内の自分のブックマークや検索ワード、オートコンプリート、クッキー等の利用者情報に関しては、共用ＰＣで利用したくても、上記と同様の理由で、それらを利用することができない。【００１０】
現在、設定、ユーザデータ等のすべてをサーバで管理することを行っているソフトがあるが、人によっては、自分の情報は自分だけが持っていたいと思っており、サーバで管理されることに安心できないという安心面の課題もある。【００１１】
さらに、携帯電話機で操作しようとした際、サーバですべてのユーザデータを管理していると、サーバへいちいちアクセスする必要があるため、通信接続の時間を要することになり、待ち時間が発生するという動作反応速度の問題がある。【００１２】
そこで、本発明の目的は上記の問題点を解消し、携帯通信機器の接続中に限って個人認証を保証し、ゲストアカウントのＰＣを利用しながら携帯通信機器に記憶された利用者情報を使用することができる情報処理システム、情報処理装置、携帯通信機器及びそれらに用いる利用者情報管理方法を提供することにある。
【課題を解決するための手段】
【００１３】
本発明の第１の視点によれば、情報処理装置にログインする際に携帯通信機器を認証キーに使用し、前記情報処理装置の個人の設定情報を個人アカウント情報として前記認証キーに使用した携帯通信機器に取り込んで保存する情報処理システムであって、前記情報処理装置内の個人アカウント情報と前記携帯通信機器内の個人アカウント情報とを初期設定時にマージして共有の情報として保持し、前記初期設定以降に、前記情報処理装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つ情報処理システムが提供される。
【００１４】
本発明の第２の視点によれば、自装置へのログイン時に携帯通信機器を認証キーとして認証を行う手段と、自装置の個人の設定情報を個人アカウント情報として前記認証キーに使用した携帯通信機器に書込んで保存する手段とを備えた情報処理装置であって、自装置内の個人アカウント情報と前記携帯通信機器内の個人アカウント情報とを初期設定時にマージして共有の情報として保持し、前記初期設定以降に、自装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つ情報処理装置が提供される。
【００１５】
本発明の第３の視点によれば、情報処理装置にログインする際に自器を認証キーに使用し、前記情報処理装置の個人の設定情報を個人アカウント情報として前記認証キーに使用した自器に取り込んで保存する携帯通信機器であって、前記情報処理装置内の個人アカウント情報と自器内の個人アカウント情報とを初期設定時にマージして共有の情報として保持し、前記初期設定以降に、前記情報処理装置と自器とが認証状態になり、前記情報処理装置と前記携帯通信機器との接続が切断されるまで、前回の共有の情報の保持後に互いに更新された情報に基づいて差分情報をマージして同期状態を保つ携帯通信機器が提供される。
【００１６】
本発明の第４の視点によれば、情報処理装置の個人の設定情報を個人アカウント情報として使用するシステムに用いる利用者情報管理方法であり、前記情報処理装置にログインする際に携帯通信機器を認証キーに使用し、前記個人アカウント情報を前記認証キーに使用した携帯通信機器に取り込んで保存する利用者情報管理方法であって、前記情報処理装置内の個人アカウント情報と前記携帯通信機器内の個人アカウント情報とを初期設定時にマージして共有の情報として保持し、前記初期設定以降に、前記情報処理装置と前記携帯通信機器とが認証状態になり、前記情報処理装置と前記携帯通信機器との接続が切断されるまで、前回の共有の情報の保持後に互いに更新された情報に基づいて差分情報をマージして同期状態を保つ利用者情報管理方法が提供される。
【００１７】
本発明の第５の視点によれば、上記した情報処理装置又は携帯通信機器に実行させるプログラムが提供される。なお、これらのプログラムは、なお、コンピュータが読み取り可能な記憶媒体に記録することができる。
【発明の効果】
【００１８】
本発明は、上記のような構成及び動作とすることで、携帯通信機器の接続中に限って個人認証を保証し、ゲストアカウントのＰＣを利用しながら携帯通信機器に記憶された利用者情報を使用することができるという効果が得られる。
【図面の簡単な説明】
【００１９】
【図１】本発明の第１の実施の形態による情報処理システムの構成例を示すブロック図である。
【図２】図１の自宅のＰＣの構成例を示すブロック図である。
【図３】図１の携帯電話機の構成例を示すブロック図である。
【図４】本発明の第１の実施の形態による情報処理システムの動作を示す図である。
【図５】本発明の第１の実施の形態による情報処理システムの動作を示す図である。
【図６】本発明の第１の実施の形態による情報処理システムの動作を示す図である。
【図７】本発明の第１の実施の形態による情報処理システムの動作を示す図である。
【図８】本発明の第１の実施の形態による情報処理システムの動作を示す図である。
【図９】本発明の第１の実施の形態による情報処理システムの適用例を示す図である。
【図１０】本発明の第１の実施の形態による情報処理システムの適用例を示す図である。
【図１１】本発明の第１の実施の形態による情報処理システムの適用例を示す図である。
【図１２】本発明の第１の実施の形態による情報処理システムの適用例を示す図である。
【図１３】本発明の第１の実施の形態による情報処理システムの適用例を示す図である。
【図１４】本発明の第１の実施の形態による情報処理システムの適用例を示す図である。
【発明を実施するための形態】
【００２０】
次に、本発明の実施の形態について図面を参照して説明する。まず、本発明による情報処理システムの概要について説明する。本発明による情報処理システムは、ＷＬＡＮ（Ｗｉｒｅｌｅｓｓ  Ｌｏｃａｌ  Ａｒｅａ  Ｎｅｔｗｏｒｋ）接続時、ホスト（Ｈｏｓｔ）とデバイス（Ｄｅｖｉｃｅ）となるＰＣ（Ｐｅｒｓｏｎａｌ  Ｃｏｍｐｕｔｅｒ：パーソナルコンピュータ）（情報処理装置）と携帯電話機（携帯通信機器）とが互いの接続を認証する仕組みを備えている。また、ＰＣの使用者は、そのＰＣにおける自分の設定を携帯電話機に保存して持ち歩けるようにしている。
【００２１】
本発明による情報処理システムでは、携帯電話機を個人認証のキー（Ｋｅｙ）として、常に使用するデバイスの使用者が自分であることを携帯電話機を通して証明することで、セキュアに携帯電話機内の自分の個人アカウント情報を使用することができる。この場合、自分専用のＰＣとの間で認証する場合には、何もせずに自分の携帯電話機をＰＣに近づけるだけで、個人アカウント情報の自動更新が可能となり、携帯電話機とＰＣとが接続中の間の認証を保証することができる。
【００２２】
上記の携帯電話機の使用者が第三者のＰＣを利用する場合には、携帯電話機を個人認証のキーとして使用することで、その接続時に限って個人認証を可能にし、第三者のＰＣのアカウントでログインしながらも、自分のアカウント情報を用いて利用することができる。第三者のＰＣへの接続中の認証を保証し、第三者のＰＣからの切断時に、その際に用いた情報は携帯電話機内に残り、第三者のＰＣには残らない。
【００２３】
上記の個人アカウント情報には、Ｂｏｏｋマークだけでなく、クッキー（Ｃｏｏｋｉｅｓ）、オートコンプリート、自分の入力した検索用キーワード、閲覧履歴をすべてインデックス（ｉｎｄｅｘ）ファイル（＋データフォルダ）として、テキストで管理することで、自宅ＰＣと携帯電話機との間、携帯電話機と第三者のＰＣとの間で、例えばＯＳ（Ｏｐｅｒａｔｉｎｇ  Ｓｙｓｔｅｍ）の違い、ブラウザのアプリケーションソフトウェア（以下、アプリとする）の違い、設定の違い、デバイスの違い等に縛られず、一様に管理することが可能となる。
【００２４】
本発明による情報処理システムは、ＰＣにログインする際、携帯電話機を認証に使用し、ＰＣの個人の設定等の環境やブラウザ等のＰＣで使用したアプリの情報を、認証で使用した携帯電話機に取込むことができる。本発明による情報処理システムでは、その取込んだ情報を外出先において携帯電話機で利用すること、ネットカフェ等の１つの共用ＰＣを複数の人で共有する場合においても携帯電話機を認証に使用することでＰＣの個人の環境やブラウザ等のアプリ情報を共用ＰＣで利用することができる。
【００２５】
また、本発明による情報処理システムは、ＰＣにて、ＰＣの個人の設定等の環境やブラウザアプリで利用するアプリ情報を、携帯電話機とＰＣとが無線／有線等により物理的に接続され、認証状態が維持できる間だけ利用することができる。さらに、本発明による情報処理システムでは、携帯電話機とＰＣとの物理接続が切断された時点で、ＰＣに一時的に設定した個人の設定やブラウザ等で利用しているアプリデータを削除して元に戻すことによって、ＰＣの環境を利用する前の状態に戻すことができる。
【００２６】
このように、本発明による情報処理システムでは、常に持ち歩く携帯電話機をキー（Ｋｅｙ）とし、認証デバイスとして利用するとともに、常にマスタ（Ｍａｓｔｅｒ）と見ることで、上述したような障壁を越えたサービスの提供を可能とする。
【００２７】
本発明による情報処理システムでは、自宅用ＰＣに接続中の認証状態を実現する手段として、ＰＣと携帯電話機とを接続するために通信技術を用い、その通信技術がＢｌｕｅｔｏｏｔｈ（登録商標）（近距離通信技術）の場合にＰＣと携帯電話機とのペアリングを利用する。また、その通信技術がＷＬＡＮの場合には、ＷＬＡＮを制御するソフトにて、相手先に接続したことをブロードキャスト通知する仕組みと、接続を示すＩＤ（ＩＤｅｎｔｉｆｉｅｒ：識別情報）をＰＣ側から携帯電話機へ返信する仕組みとで、相手が接続状態になったことを認識する。
【００２８】
通信技術がＦｅｌｉｃａ（登録商標）［非接触ＩＣ（Ｉｎｔｅｇｒａｔｅｄ  Ｃｉｒｃｕｉｔ：集積回路）カード］の場合には、ＰＣと携帯電話機とを接近させることで、固有のＩＤ情報のＦｅｌｉｃａ（登録商標）ＩＤ等を確認し、認証状態を保障する。
【００２９】
通信技術がＵＳＢ（Ｕｎｉｖｅｒｓａｌ  Ｓｅｒｉａｌ  Ｂｕｓ）の場合には、ＰＣと携帯電話機とをケーブルで接続することで、固有のＩＤ情報のＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）［ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）端末の識別のために付与されている固有番号］等を確認し、認証状態を保障する。
【００３０】
初期設定時に、携帯電話機内の情報とＰＣ内の情報とをマージし、共有の情報としてそれぞれ保持する。初期設定以降は、認証状態になると、前回の共有情報後に互いのデバイスで更新された情報を基に、差分情報のみをマージすることで、やり取りするデータを最小限に抑える。
【００３１】
また、情報のマスタとなるのが携帯電話機内の情報であり、差分データのマージは、基本的に携帯電話機の記憶領域上に行い、結果を自宅ＰＣへ反映させることで、情報の共有を行う。
【００３２】
同時に、本発明による情報処理システムでは、共用ＰＣで認証する手段として、携帯電話機のＦｅｌｉｃａ（登録商標）  ＩＤ、もしくはＵＳＢ接続によるＩＭＥＩ認証を行い、アプリケーションを通じてインタネット（Ｉｎｔｅｒｎｅｔ）上のサーバで認証を行う。
【００３３】
この認証は、共用ＰＣと携帯電話機とが接続中の場合に有効であることで認証する。認証状態の維持は、全ての通信手段において、物理的通信及び論理的通信の両方を維持している間のみ有効とする。
【００３４】
共用ＰＣを利用する場合においては、携帯電話機内の個人アプリ情報を安全に利用するための手段として、認証が成立した時点で、共用ＰＣに専用アプリケーションをＤＬ（ＤｏｗｎＬｏａｄ：ダウンロード）させ、ＤＬしたアプリを用いて個人情報を含むアプリ情報を携帯電話機内部から取得させる。
【００３５】
認証維持中に限り、携帯電話機内部のアプリ情報を利用し、共用ＰＣを、単なる入力デバイス、表示デバイスとして利用したＷｅｂブラウジングを可能とさせる。尚、共用ＰＣは、携帯電話機と紐付けされた自宅ＰＣとは異なるＩＤ［例えば、ゲスト（Ｇｕｅｓｔ）アカウントである］であるため、一切の情報を共用ＰＣ内に保持せず、ＤＬしたアプリ上ですべての操作を完結し、認証維持中に更新された情報は、すべて携帯電話機内部に保持される。
【００３６】
ＰＣと携帯電話機との通信が切断されると、ＰＣは、認証時にＤＬされたアプリと、アプリが保持していた携帯電話の認証情報とを直ちに廃棄し、共用ＰＣは、携帯電話機接続前の状態に戻る。
【００３７】
共用ＰＣ、自宅ＰＣ、携帯電話機といったデバイスの違い、ＯＳの違いは、すべてＤＬしたアプリがクッションとなることで、情報を一括にすることを可能とする。
【００３８】
上記のように、本発明では、通信技術を用いて、それぞれのデバイス（共用ＰＣ、ＰＣ、携帯電話機）を接続し、ＤＬしたアプリケーションによって物理的障壁による課題を排除することができる。
【００３９】
本発明では、個人が常に持ち歩く、携帯電話機をキー（鍵）とし、データのマスタとすることによって、認証済みの自宅ＰＣと通信する際には安全にデータをバックアップすることが可能となり、それ以外の共用ＰＣと通信する際には、データを携帯電話機内から出さずに利用することが可能となるので、セキュリティ面の課題を解決することができる。
【００４０】
本発明では、個人のデータを携帯電話機内にマスタとして持つことで、サーバ管理による不安を排除することが可能となるので、安心面の課題を解決することができる。
【００４１】
本発明では、携帯電話機を利用する際、携帯電話機内に情報を持っているため、即座に必要データを取出すことができる。また、本発明では、固定ＰＣに比較して、携帯電話機のように、通信速度が低速な場合においても、動作速度を早くみせることが可能となるので、動作反応速度の問題を解決することができる。
【００４２】
［第１の実施形態］
図１は本発明の第１の実施の形態による情報処理システムの構成例を示すブロック図である。図１において、本発明の第１の実施の形態による情報処理システムは、自宅ＰＣ１０と、近接または直接通信技術６０にて接続可能な携帯電話機４０と、例えばネットカフェのＰＣである共用ＰＣ２０と、サーバ３５及びインタネット３０とから構成されている。
【００４３】
図１においては、本発明を利用する時の環境を示している。自宅ＰＣ１０の設定は、インタネット３０を介してＷｅｂ上のサーバ３５に保管される。携帯電話機４０は、外出先で共用ＰＣ２０に接続する場合も考慮している。
【００４４】
図２は図１の自宅ＰＣ１０の構成例を示すブロック図である。図２において、自宅ＰＣ１０は、表示デバイスとしてディスプレイ１１を備え、入力デバイスとしてキーボート１２及びマウス１３を備えている。
【００４５】
また、自宅ＰＣ１０は、通信デバイスとしてＢｌｕｅｔｏｏｔｈ（登録商標）１４、ＷＬＡＮ１５、Ｆｅｌｉｃａ（登録商標）ポート１６を備え、他に、その他通信デバイス１７として、例えばＬＡＮ（Ｌｏｃａｌ  Ａｒｅａ  Ｎｅｔｗｏｒｋ）、Ｚｉｇｂｅｅ（登録商標）（家電向けの短距離無線通信規格）、Ｗｉｂｒｅｅ（近距離通信技術）、ＵＳＢポート等を備えている。その他通信デバイス１７のＬＡＮ、若しくはＷＬＡＮ１５から、自宅ＰＣ１０はインタネット３０に接続されている。
【００４６】
自宅のＰＣ１０には、記憶領域１００に、自装置のアカウントＡ−ＰＣ１５０と、家族のアカウントＢ１７０とを持っている。また、記憶領域１００には、アカウントＡユーザのＬｏｃａｌフォルダが存在し、［例えば、ＷｉｎｄｏｗｓＸＰ（登録商標）のデフォルトでは）、ＬｏｃａｌＳｅｔｔｉｎｇｓフォルダ１５１配下にＩｎｔｅｒｎｅｔＥｘｐｌｏｒｅ（登録商標）（以下、ＩＥとする）の履歴情報として、Ｈｉｓｔｏｒｙフォルダ１５４が存在し、Ｌｏｃａｌ  Ｓｅｔｔｉｎｇｓフォルダ１５１と同じ階層にＩＥのクッキー（Ｃｏｏｋｉｅｓ）フォルダ１５２、ＩＥのお気に入り（Ｆａｖｏｒｉｔｅ）フォルダ１５３が存在する。
【００４７】
レジストリ１５５には、オートコンプリート（ＡｕｔＣｏｍｐｌｅｔｅ）（検索ワードを含む）を保持する。さらに、アカウントＡ−ＰＣ１５０内のアップデート情報をタイムスタンプ１５６として持ち、外部機器との同期時刻をＳｙｎｃＴｉｍｅβとして保持している。上記と同一のフォルダ構成が、アカウントＢ１７０にも存在する。
【００４８】
図３は図１の携帯電話機４０の構成例を示すブロック図である。図３において、携帯電話機４０は、自端末のアカウント情報（通常、アカウントは１つ）アカウントＡ−Ｍｏｂｉｌｅ４５０を持っている。
【００４９】
また、携帯電話機４０は、表示デバイスとしてディスプレイ４１を備え、入力デバイスとしてテンキー４２、十字キー４３［もしくは、携帯電話機のニューロポインタ（登録商標）のようなもの］を備えている。
【００５０】
さらに、携帯電話機４０は、通信デバイスとしてＢｌｕｅｔｏｏｔｈ（登録商標）４４、ＷＬＡＮ４５、Ｆｅｌｉｃａ（登録商標）ポート４６を備え、他に、その他通信デバイス４７として、例えばＬＴＥ（Ｌｏｎｇ  Ｔｅｒｍ  Ｅｖｏｌｕｔｉｏｎ）、ＵＭＢ（Ｕｌｔｒａ  Ｍｏｂｉｌｅ  Ｂｒｏａｄｂａｎｄ）、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）２０００等のＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎ  Ｓｅｃｔｏｒ）系の無線、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、Ｚｉｇｂｅｅ（登録商標）、Ｗｉｂｒｅｅ、ＵＳＢポート等を備える。その他通信デバイス４７から、携帯電話機４０はインタネット（またはキャリア網）に接続されている。
【００５１】
また、記憶領域４００には、アカウントＡ−Ｍｏｂｉｅｌｅ４５０のユーザの情報が保持され、同じ階層にＩＥのクッキー（Ｃｏｏｋｉｅｓ）フォルダ４５３、ＩＥのお気に入り（Ｆａｖｏｒｉｔｅ）フォルダ４５２、Ｈｉｓｔｏｒｙフォルダ４５４がそれぞれ存在する。レジストリ４５５には、オートコンプリート（検索ワードを含む）を保持する。
【００５２】
また、アカウントＡ−Ｍｏｂｉｌｅ４５０内のＵｐｄａｔｅ情報をタイムスタンプ４５６として持ち、外部機器との同期時刻をＳｙｎｃＴｉｍｅβ（＊Ｌａｓｔ  Ｓｙｎｃ  ２０ＸＸ／１／２５）として保持している。
【００５３】
携帯電話機４０は、本体内に、ほぼ間違いなくスケジュール（Ｓｃｈｅｄｕｌｅ）機能を持っており、スケジュールに対応したＬｉｆｅ  Ｈｉｓｔｏｒｙ  Ｖｉｅｗｅｒ等を持っている場合がある。その際に、携帯電話機４０は、スケジュールとリンクして利用するための本体内ストレージ４６０を持ち、さらにその本体内ストレージ４６０がＷｅｂ側のサーバ３５にデータ（主に、個人認証データ）を格納できる仕組みを持つ。
【００５４】
図４〜図８は本発明の第１の実施の形態による情報処理システムの動作を示す図である。これら図１〜図８を参照して本発明の第１の実施の形態による情報処理システムの動作について説明する。
【００５５】
図４において、自宅ＰＣ１０でネットサーフィンを行う際、自宅ＰＣ１０にはアカウントＡ−ＰＣ１５０を用いてログインする。自宅ＰＣ１０でネットサーフィンを行うと、クッキーはクッキーフォルダ１５２に、お気に入りはお気に入りフォルダ１５３に、履歴はＨｉｓｔｏｒｙフォルダ１５４にそれぞれ格納される。
【００５６】
オートコンプリート及び検索ワードはレジストリ１５５に保存し、最終的なアップデート時刻をタイムスタンプ１５６にＬａｓｔ  Ｕｐｄａｔｅ  α１（Ｌａｓｔ  ｕｐｄａｔｅ  ２０ＸＸ／１／３０）として記録する。
【００５７】
図５において、携帯電話機４０でネットサーフィン（キャリア網でなく、インタネット）を行う際、携帯電話機４０にはアカウントＡ−Ｍｏｂｉｌｅ４５０でブラウジングする。
【００５８】
クッキーはクッキーフォルダ４５２に、お気に入りはお気に入りフォルダ４５３に、履歴はＨｉｓｔｏｒｙフォルダ４５４にそれぞれ格納される。オートコンプリート及び検索ワードはレジストリ４５５に保存し、最終的なアップデート時刻をタイムスタンプ４５６にＬａｓｔ  Ｕｐｄａｔｅ  α４（Ｌａｓｔ  ｕｐｄａｔｅ  ２０ＸＸ／１／３１）として記録する。
【００５９】
図６において、ＩＥ等のＷＷＷ（Ｗｏｒｌｄ  Ｗｉｄｅ  Ｗｅｂ）閲覧用ブラウザで、インタネット用ブラウザｆｏｒＰＣ（以下、ＰＣ用ブラウザとする）１０１と、インタネット用ブラウザｆｏｒＭｏｂｉｌｅ（以下、携帯用ブラウザとする）４０１とが存在するが、本発明では、そういった汎用ブラウザの内部情報（クッキー、お気に入り等）を一括して取り扱える。
【００６０】
アカウントＡ−ＰＣ１５０及びアカウントＡ−Ｍｏｂｉｌｅ４５０各々の中身は、アップデート後に全く同一内容となる。
【００６１】
ユーザは、携帯電話機４０を個人認証の道具［認証キー（Ｋｅｙ）］として利用することで、自宅ＰＣ１０を使う場合にＰＣ用ブラウザ１０１を利用する。その際、更新された情報は全て、携帯電話機４０にも反映され、外出先で携帯電話機４０でのブラウジングを行う際に、自宅ＰＣ１０で普段使用している情報がそのまま利用できることになる。
【００６２】
さらに、ネットカフェ等の共有アカウント［ゲスト（Ｇｕｅｓｔ）］で使用する共用ＰＣ２０においても、携帯電話機４０を個人認証の道具［認証キー（Ｋｅｙ）］とすることで、個人認証が保証される間（共用ＰＣ２０と携帯電話機４０とが接続されている期間のみ）、自分の個人アカウント情報を利用したブラウジングが可能となる。また、共用ＰＣ２０と携帯電話機４０との接続が切れた際には、個人情報をマスタの携帯電話機４０内に残すことで、個人情報を外へ（共用ＰＣ２０内に）残さないことが可能となる。
【００６３】
図６に示したように、ＰＣ側のＷｅｂブラウザ用ソフト（例えば、ＩＥ）が、常にＰＣ用ブラウザ１０１のソフトエンジン部＋アカウントＡ−ＰＣ１５０（ＰＣ用個人設定部）からなり、携帯電話機４０側のＷｅｂブラウザ用ソフトも、携帯用ブラウザ４０１のソフトエンジン部＋アカウントＡ−Ｍｏｂｉｌｅ４５０からなる。
【００６４】
そしてこの仕組みは、（１）Ｂｏｏｋｍａｒｋ１０００、（２）Ｃｏｏｋｉｅｓ＆Ｈｉｓｔｏｒｙ２０００、（３）ａｕｔｏｃｏｍｐｌｅｔｅ＆検索ワード３０００、という三つの保存方法に分けられ、それぞれ以下の方法で保存される。
【００６５】
（１）Ｂｏｏｋｍａｒｋ１０００では、元のＢｏｏｋｍａｒｋ全体のフォルダ構造を示したｉｎｄｅｘ．ｔｘｔを作成し、（２）Ｃｏｏｋｉｅｓ＆Ｈｉｓｔｏｒｙ２０００では、Ｃｏｏｋｉｅｓ及びＨｉｓｔｏｒｙ各々のバイナリファイルのｉｎｄｅｘ．ｄａｔをテキストに変換（ｉｎｄｅｘ．ｔｘｔ）し、かつそれぞれのデータをコピー（Ｃｏｏｋｉｅｓ＆Ｈｉｓｔｏｒｙフォルダ）する。
【００６６】
（３）ａｕｔｏｃｏｍｐｌｅｔｅ＆検索ワード３０００では、Ａｕｔｏｃｏｍｐｌｅｔｅ＆検索ワードがそれぞれレジストリ情報なので、レジストリエディタを使ってそれぞれのｉｎｄｅｘ．ｔｘｔを作成する。オートコンプリートについては、Ｗｉｎｄｏｗｓ（登録商標）２０００か、ＷｉｎｄｏｗｓＸＰ（登録商標）であればＰｒｏｔｅｃｔｅｄ  Ｓｔｏｒａｇｅの仕組み（ＩＰｓｔｏｒｅインタフェース）を利用し、それ以前のＷｉｎｄｏｗｓ（登録商標）ＭＥ、Ｗｉｎｄｏｗｓ（登録商標）９５等であれば、ＷＮｅｔ  Ｅｎｕｍ  Ｃａｃｈｅｄ  Ｐａｓｓｗｏｒｄｓを利用する。
【００６７】
検索ワードについては、例えばＷｉｎｄｏｗｓ（登録商標）  Ｄｅｓｋｔｏｐ  Ｓｅａｒｃｈであれば、“ＨＫＥＹ＿ＣＵＲＲＥＮＴ＿ＵＳＥＲ￥Ｓｏｆｔｗａｒｅ￥Ｍｉｃｒｏｓｏｆｔ￥ＷＤＳ￥ＤＢ￥ＳｅａｒｃｈＳｔｒｉｎｇｓ”をコピーしてテキスト化する。
【００６８】
図７において、自宅ＰＣ１０と携帯電話機４０とは、ＢＴ［Ｂｌｕｅｔｏｏｔｈ（登録商標）］であれば既にペアリング済、ＷＬＡＮであれば既に自動接続セットアップ済とする。その際に、自宅ＰＣ１０と携帯電話機４０とを近づけると、近接通信技術６０で互いが接続される［図７の（１）ペアリング状態、個人認証済］。
【００６９】
アカウントＡ−ＰＣ１５０及びアカウントＡ−Ｍｏｂｉｌｅ４５０内で、最後にＳｙｎｃされた時間βを確認し、β以降で互いにアップデート（Ｕｐｄａｔｅ）された時刻を確認する。同期手段については、図８に示している［図７（２）］。
【００７０】
図８において、アカウントＡ−ＰＣ１５０とアカウントＡ−Ｍｏｂｉｌｅ４５０との同期処理を示している。本実施の形態では、ＳｙｎｃＭＬ（Ｓｙｎｃｈｒｏｎｉｚａｔｉｏｎ  Ｍａｒｋｕｐ  Ｌａｎｇｕａｇｅ）、ＡｃｔｉｖｅＳｙｎｃ（登録商標）等の技術を使って同期処理を行っている。
【００７１】
クッキーフォルダ１５２とクッキーフォルダ４５２とのクッキー（Ｃｏｏｋｉｅ）、お気に入りフォルダ１５３とお気に入りフォルダ４５３とのＦａｖｏｒｉｔｅ（お気に入り）、Ｈｉｓｔｏｒｙフォルダ１５４とＨｉｓｔｏｒｙフォルダ４５４とのＨｉｓｔｏｒｙ、レジストリ１５５及びレジストリ４５５内のオートコンプリート（Ａｕｔｏｃｏｍｐｌｅｔｅ）、検索ワードのフォルダの差分（時刻β以降）をそれぞれ同期させる。
【００７２】
自宅ＰＣ１０と携帯電話機４０との同期は、近接通信技術６０で自宅ＰＣ１０と携帯電話機４０とが接続されている限り、常に更新され、自宅ＰＣ１０と携帯電話機４０との接続が切断されるまでセキュアに同期される。
【００７３】
近接通信技術６０による接続が切断された時に、自宅ＰＣ１０、携帯電話機４０内のＳｙｎｃＴｉｍｅβをβ’として更新する［図７（３）］。その後、自宅ＰＣ１０、携帯電話機４０の相互とも別々に利用し、それぞれがデータをアップデートされる［図７（４）］。
【００７４】
再度、自宅ＰＣ１０と携帯電話機４０とが近接通信技術６０で接続された際には［図７（５）］、前回のＳｙｎｃ時刻β’以降のデータが相互にアップデートされる［図７（５）］。
【００７５】
このように、本実施の形態では、携帯電話機４０のＢｌｕｅｔｏｏｔｈ（登録商標）４４によるペアリング済の自動接続、ＷＬＡＮ４５による初期設定済みの自動接続、Ｆｅｌｉｃａ（登録商標）４６によるデバイスＩＤ確認動作を、ＵＳＢによるデバイスＩＤの直接接続またはワイヤレスＵＳＢ、ＮＦＣ（Ｎｅａｒ  Ｆｉｅｌｄ  Ｃｏｎｎｅｃｔｉｏｎ）等の近未来近距離通信技術といったその他通信４７による接続、並びにデバイスＩＤの確認動作をもって個人認証を行っている。
【００７６】
これによって、本実施の形態では、自宅ＰＣ１０のアカウントＡ−ＰＣ１５０を使用しているユーザが本人であることの確認作業を有線／無線の接続（自動的接続、ないし手動接続）状態を確認することによって保障し、接続中に限定して認証を維持する（これを“シンクロ中”とする）ことで、シンクロ中の操作と、前回シンクロ時間βから今回シンクロ時間までの互いの差分情報を含めて、アカウントＡ−ＰＣ１５０とアカウントＡ−Ｍｏｂｉｅｌｅ４５０とを同期（シンクロ）させることができる。
【００７７】
また、本実施の形態では、自宅ＰＣ１０と携帯電話機４０との接続が切断されることで、その接続の切断時から互いの使用履歴を自宅ＰＣ１０と携帯電話機４０とがそれぞれ蓄積し、次のシンクロ時に自宅ＰＣ１０と携帯電話機４０との間で、再度、情報をアップデートする。
【００７８】
さらに、本実施の形態では、第三者の共用ＰＣ２０（例えば、ネットカフェのＰＣ）を利用する際、ユーザアカウントＸ−ＰＣ２５０等のゲスト（Ｇｕｅｓｔ）アカウントを使用することになるが、Ｂｌｕｅｔｏｏｔｈ（登録商標）４４、ＷＬＡＮ４５、Ｆｅｌｉｃａ（登録商標）４６、ＵＳＢケーブル等のその他通信４７等のいずれかの方法で共用ＰＣ２０と携帯電話機４０とを接続し、Ｆｅｌｉｃａ（登録商標）４６、ＵＳＢケーブル等のその他通信４７にて、直接、携帯電話機４０のデバイスＩＤを共用ＰＣ２０を通して、ネット上のサーバ３５に通知する。
【００７９】
本実施の形態では、これによって個人認証を行い、携帯電話機４０を認証キー（Ｋｅｙ）とした個人認証を実現させることで、共用ＰＣ２０と携帯電話機４０との接続中に限って、個人認証を保証し、ゲストアカウント２５０の共用ＰＣ２０を利用しながら、アカウントＡ−ＰＣ１５０＝アカウントＡ−Ｍｏｂｉｌｅ４５０を使用することができる。
【００８０】
その際、ゲストアカウント２５０の情報は更新されず、共用ＰＣ２０を使用した履歴情報（＝アカウント情報）はすべて携帯電話機４０のアカウントＡ−Ｍｏｂｉｌｅ４５０に登録される。
【００８１】
図８及び図７（２）でも説明済だが、利用されるのはＳｙｎｃＭＬ等の差分アップデートの方式で、それぞれ対応するフォルダ間がアップデートされる。なおかつ、携帯電話機４０内のスケジュールのアプリ等で利用できる形式で、携帯電話機４０内の本体内ストレージ４６０にアップデート分がバックアップされる。
【００８２】
その際、アップデートされたデータから、Ｈｉｓｔｏｒｙフォルダ４５４の履歴日時と、携帯電話機４０内のスケジュール日時とを合わせて保存することができ、例えば、「昨年の忘年会で調べたお店の候補で、行かなかったお店なんだっけ？」といったような疑問にも、スケジュールで、昨年の忘年会日時付近の店の閲覧結果を確認することで、容易に情報を引き出すことができる。
【００８３】
また、ある程度の情報が本体内ストレージ４６０に保存されたら、この情報を外部のサーバ３５にバックアップすることも可能で、これによって、携帯電話機４０内の限られたストレージを有効利用することができる。
【００８４】
図９〜図１４は本発明の第１の実施の形態による情報処理システムの適用例を示す図である。以下、図９〜図１４を参照して本発明の第１の実施の形態による情報処理システムの適用例について説明する。
【００８５】
図９において、本実施の形態では、情報のマスタとなるのが携帯電話機４０内の情報であり、差分データのマージは、基本的に携帯電話機４０の記憶領域４００上にて行い、結果を自宅ＰＣ１０へと反映させることで、情報の共有を行っている。
【００８６】
図１０においては、本実施の形態による自宅ＰＣ１０で検索ワードを携帯電話機４０側で簡単に利用する例を示している。この場合、携帯電話機４０側では、自宅ＰＣ１０側の検索履歴５０を近接通信技術６０にて自動で取得し、検索履歴ＰＣ履歴７０としている。
つまり、携帯電話機４０は、自宅ＰＣ１０から「履歴、検索ワード、ブラウザ設定」を自動で取得する。
【００８７】
図１１においては、本実施の形態による携帯電話機４０、自宅ＰＣ１０、共用ＰＣ２０で過去に入力した検索ワードから、予測して優先表示させる例を示している。
【００８８】
例えば、携帯電話機で、「えーっと、検索ワードはラーメンと渋谷と・・・」を調べると、Ｑｕｉｃｋ検索８０にて「らー」と入力すると（図１１の８１）、一覧８２の中から「らーめん  川崎」が選択されるが（図１１の８３）、Ｑｕｉｃｋ検索８５にて「らーめん  し」と入力すると（図１１の８６）、一覧８７の中から「らーめん  渋谷」が選択される（図１１の８８）。
【００８９】
図１２においては、ＰＣ側でＷｅｂページをコピーし、携帯電話機に保存する例を示している。この場合には、ＰＣと携帯電話機との簡単接続によって、ＮＡＳ（Ｎｅｔｗｏｒｋ  Ａｔｔａｃｈｅｄ  Ｓｔｏｒａｇｅ）的な使い方が可能となる。
【００９０】
図１２には、ＰＣ側の表示画面５１で「携帯にページをコピー」を選択した場合（図１２の５２，５３）を示している。「携帯にページをコピー」５４では、図示せぬマウスの右クリックから、携帯にＵＲＬ元のＨＴＭＬ（Ｈｙｐｅｒ  Ｔｅｘｔ  Ｍａｒｋｕｐ  Ｌａｎｇｕａｇｅ）のページをそのままコピーできる。コピーしたＷｅｂページは携帯のフルブラウザでいつでも確認することが可能である。
【００９１】
また、「ＰＣ画面の写真を携帯にコピー」５５では、ＰＣに表示された画面のプリントスクリーン［ＪＰＧ（ＪＰＥＧ：Ｊｏｉｎｔ  Ｐｈｏｔｏｇｒａｐｈｉｃ  Ｅｘｐｅｒｔｓ  Ｇｒｏｕｐ）］をマウスの右クリックからそのまま、携帯へコピーすることができる。
【００９２】
図１３においては、ＲＳＳ［Ｒｅａｌｌｙ  Ｓｉｍｐｌｅ  Ｓｙｎｄｉｃａｔｉｏｎ，ＲＤＦ（Ｒｅｓｏｕｒｃｅ  Ｄｅｓｃｒｉｐｔｉｏｎ  Ｆｒａｍｅｗｏｒｋ）  Ｓｉｔｅ  Ｓｕｍｍａｒｙ］サイトをまとめて登録し、例えば夜の間にＲＳＳサイトのＨＴＭＬ（Ｈｙｐｅｒ  Ｔｅｘｔ  Ｍａｒｋｕｐ  Ｌａｎｇｕａｇｅ）ファイルをすべて携帯電話機にコピーする
【００９３】
図１３には、ＰＣ側の表示画面５６で「携帯にＲＳＳサイトをコピー」を選択した場合を示している。「携帯にＲＳＳサイトをコピー」５７は、ＲＳＳを利用しているユーザ向けに、ＲＳＳサイトとして登録してあるページをＨＴＭＬファイルごと携帯に自動コピーする仕組みである。
【００９４】
また、「ＲＳＳ知らない人向けに・・・」５８では、ＲＳＳを利用していない人向けに、「興味のあるニュース」というくくりでサイトを簡単に登録できる仕組みを提供している。
【００９５】
図１４においては、自宅ＰＣ１０の履歴情報（ＰＣ側の検索履歴５０）が、携帯電話機を通してそのまま共用ＰＣ２０側で検索履歴ＰＣ履歴７０として確認、利用することが可能である。この場合には、携帯電話機が自宅ＰＣ１０から「履歴、検索ワード、お気に入り、ブラウザ設定」を自動で取得している。
【産業上の利用可能性】
【００９６】
本発明は、携帯電話機を認証キーとして利用し、インタネットサービスを利用する分野に適用することができる。【００９７】
本発明の全開示（請求の範囲を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００９８】
１０  自宅ＰＣ
１１，４１  ディスプレイ
１２  キーボート
１３  マウス
１４，４４  Ｂｌｕｅｔｏｏｔｈ（登録商標）
１５，４５  ＷＬＡＮ
１６，４６  Ｆｅｌｉｃａ（登録商標）ポート
１７，４７  その他通信
２０  共用ＰＣ
３０  インタネット
３５  サーバ
４０  携帯電話機
４２  テンキー
４３  十字キー
６０  近接通信技術
１００，４００  記憶領域
１０１  ＰＣ用ブラウザ
１５０  アカウントＡ−ＰＣ
１５１  ＬｏｃａｌＳｅｔｔｉｎｇｓフォルダ
１５２，４５２  クッキーフォルダ
１５３，４５３  お気に入りフォルダ
１５４，４５４  Ｈｉｓｔｏｒｙフォルダ
１５５，４５５  レジストリ
１５６，４５６  タイムスタンプ
１７０  アカウントＢ
２５０  ユーザアカウントＸ−ＰＣ
４０１  携帯用ブラウザ
４５０  アカウントＡ−Ｍｏｂｉｌｅ
４６０  本体内ストレージ
【図１】
0005423668.tif 000002
【図２】
0005423668.tif 000003
【図３】
0005423668.tif 000004
【図４】
0005423668.tif 000005
【図５】
0005423668.tif 000006
【図６】
0005423668.tif 000007
【図７】
0005423668.tif 000008
【図８】
0005423668.tif 000009
【図９】
0005423668.tif 000010
【図１０】
0005423668.tif 000011
【図１１】
0005423668.tif 000012
【図１２】
0005423668.tif 000013
【図１３】
0005423668.tif 000014
【図１４】
0005423668.tif 000015